(57)【特許請求の範囲】
【請求項１】
回転電機の鉄心スロット内に装着された上コイルと下コイルの口出し裸導体端部を接続銅帯により相互に電気的に接続して、当該接続部全体の絶縁処理を行なう方法において、
前記接続部よりも大きい内法寸法を有し、かつ変形能と耐湿性、および接着性を有する絶縁充填剤があらかじめ充填された熱可塑性樹脂からなる２分割された一対の絶縁ケースにより、前記各コイルの対地絶縁層の一部を含む接続部全体を包含して固着し絶縁するようにし、
前記絶縁ケースの外周部には、各コイルの対地絶縁層の一部を含む接続部全体を包含して固着するための融着代が設けられており、当該融着代を融着装置で溶融し２分割された絶縁ケースを一体形に結合するようにした
ことを特徴とする回転電機のコイル接続端部の絶縁処理方法。
【請求項２】
前記絶縁充填剤としては、硬化後に変形能と耐湿性、および接着性が発現するシリコーンゲルを用いるようにしたことを特徴とする請求項１に記載の回転電機のコイル接続端部の絶縁処理方法。
【請求項３】
前記絶縁充填剤としては、硬化後に変形能と耐湿性、および接着性が発現するシリコーンゲルに、機械的強度向上のための無機絶縁充填剤を配合し補強したものを用いるようにしたことを特徴とする請求項１に記載の回転電機のコイル接続端部の絶縁処理方法。
【請求項４】
前記絶縁ケースとしては、ポリフェニレンサルファイドやポリエーテルエーテルケトン等の高耐熱性、高強度の熱可塑性樹脂を射出成形したものであることを特徴とする請求項１に記載の回転電機のコイル接続端部の絶縁処理方法。
【請求項５】
前記絶縁ケースとしては、ポリフェニレンサルファイドやポリエーテルエーテルケトン等の高耐熱性、高強度の熱可塑性樹脂に、機械的強度向上のためのガラスチョップを１０〜４０重量％配合して射出成形したものであることを特徴とする請求項１に記載の回転電機のコイル接続端部の絶縁処理方法。
【請求項６】
前記絶縁ケースとしては、ポリフェニレンサルファイドやポリエーテルエーテルケトン等の高耐熱性、高強度の熱可塑性樹脂に、成形時の歪み発生防止のためのガラスフレークを１０〜４０重量％配合して射出成形したものであることを特徴とする請求項１に記載の回転電機のコイル接続端部の絶縁処理方法。
【請求項７】
前記絶縁ケースとしては、ポリフェニレンサルファイドやポリエーテルエーテルケトン等の高耐熱性、高強度の熱可塑性樹脂に、成形性向上のためのガラスビーズを１０〜４０重量％配合して射出成形したものであることを特徴とする請求項１に記載の回転電機のコイル接続端部の絶縁処理方法。
【請求項８】
前記絶縁ケースとしては、中央部から同形状または楔状に勾配を持たせて２分割されており、当該絶縁ケースの内面には絶縁ケースの接続部への位置決めと移動防止および補強のためのボスと受け座およびブロックが設けられ、かつ絶縁ケースの接続部からの脱落防止のためのステーが設けられていることを特徴とする請求項１に記載の回転電機のコイル接続端部の絶縁処理方法。
【請求項９】
前記各コイルの対地絶縁層と接する絶縁ケースの部位には、ゴムパッキンが設けられていることを特徴とする請求項１に記載の回転電機のコイル接続端部の絶縁処理方法。
【請求項１０】
回転電機の鉄心スロット内に装着された上コイルと下コイルの口出し裸導体端部を接続銅帯により相互に電気的に接続して、当該接続部全体の絶縁処理を行なう方法において、
前記接続部よりも大きい内法寸法を有し、熱可塑性樹脂からなる２分割された一対の絶縁ケースにより、前記各コイルの対地絶縁層の一部を含む接続部全体を包含して固着した後に、硬化後に変形能と耐湿性、および接着性を発現する絶縁充填剤を注入し絶縁するようにし、
前記絶縁ケースの外周部には、各コイルの対地絶縁層の一部を含む接続部全体を包含して固着するための融着代が設けられており、当該融着代を融着装置で溶融し２分割された絶縁ケースを一体形に結合するようにした
ことを特徴とする回転電機のコイル接続端部の絶縁処理方法。
【請求項１１】
回転電機の鉄心スロット内に装着された上コイルと下コイルの口出し裸導体端部を接続銅帯により相互に電気的に接続して、当該接続部全体の絶縁処理を行なう方法において、
前記接続部よりも大きい内法寸法を有し、かつ変形能と耐湿性、および接着性を有する絶縁充填剤があらかじめ充填された熱硬化性樹脂からなる２分割された一対の絶縁ケースにより、前記各コイルの対地絶縁層の一部を含む接続部全体を包含して固着し絶縁するようにし、
前記絶縁ケースの外周部には、各コイルの対地絶縁層の一部を含む接続部全体を包含して固着するための接着代が設けられており、当該接着代に室温硬化型の接着剤を塗布し２分割された絶縁ケースを一体形に結合するようにした
ことを特徴とする回転電機のコイル接続端部の絶縁処理方法。
【請求項１２】
前記絶縁ケースとしては、フェノール樹脂やユリア樹脂およびメラミン樹脂等の熱硬化性樹脂粉末を金型でプレス成形したものであることを特徴とする請求項１１に記載の回転電機のコイル接続端部の絶縁処理方法。
【請求項１３】
前記絶縁ケースとしては、機械的強度向上のためのガラスチョップが１０〜４０重量％配合されたフェノール樹脂やユリア樹脂およびメラミン樹脂等の熱硬化性樹脂粉末を金型でプレス成形したものであることを特徴とする請求項１１に記載の回転電機のコイル接続端部の絶縁処理方法。
【請求項１４】
前記絶縁ケースとしては、成形時の歪み発生防止のためのガラスフレークが１０〜４０重量％配合されたフェノール樹脂やユリア樹脂およびメラミン樹脂等の熱硬化性樹脂粉末を金型でプレス成形したものであることを特徴とする請求項１１に記載の回転電機のコイル接続端部の絶縁処理方法。
【請求項１５】
前記絶縁ケースとしては、成形性向上のためのガラスビーズが１０〜４０重量％配合されたフェノール樹脂やユリア樹脂およびメラミン樹脂等の熱硬化性樹脂粉末を金型でプレス成形したものであることを特徴とする請求項１１に記載の回転電機のコイル接続端部の絶縁処理方法。
【請求項１６】
回転電機の鉄心スロット内に装着された上コイルと下コイルの口出し裸導体端部を接続銅帯により相互に電気的に接続して、当該接続部全体の絶縁処理を行なう方法において、
前記接続部よりも大きい内法寸法を有し、熱硬化性樹脂からなる２分割された一対の絶縁ケースにより、前記各コイルの対地絶縁層の一部を含む接続部全体を包含して固着した後に、硬化後に変形能と耐湿性、および接着性を発現する絶縁充填剤を注入し絶縁するようにし、
前記絶縁ケースの外周部には、各コイルの対地絶縁層の一部を含む接続部全体を包含して固着するための接着代が設けられており、当該接着代に室温硬化型の接着剤を塗布し２分割された絶縁ケースを一体形に結合するようにした
ことを特徴とする回転電機のコイル接続端部の絶縁処理方法。
【発明の詳細な説明】
【０００１】
【発明の属する技術分野】
本発明は、回転電機等の電気機器に使用するコイルにおいて、特にコイル端部のシリーズ接続部の絶縁処理方法の改良に関するものである。
【０００２】
【従来の技術】
一般に、回転電機等の電気機器に使用するコイルは、亀甲型または１ターン型コイルのいずれかを固定子鉄心のスロット内に装着し、この各コイル間が所定の結線図にしたがって結線される。そして、この各コイル間を結ぶ所をシリーズ接続部と称し、従来から、この部分は接続銅帯をロー付けして接続し、さらにマイカテープ等の絶縁テープを絶縁ワニスを塗りながら所定回数テーピングするか、または接続部全体をエポキシ樹脂等の熱硬化性樹脂とガラス繊維からなるシートを積層して箱状にプレス成形した一体形絶縁キャップで覆い、空隙部に常温硬化形の合成樹脂を充填する方法で絶縁処理が施されている。
【０００３】
図９は、このような従来の方法で絶縁処理した回転電機のコイル端部のシリーズ接続部の構成例を示す断面図、図１０は同じく図９のＣ−Ｃ線に沿う断面図である。
【０００４】
すなわち、図９および図１０に示すように、コイル端部のシリーズ接続部は、回転電機の鉄心１内に装着された上コイル２と下コイル３の口出し部４の裸導体５に接続銅帯６をロー付けして結線し、さらにこの接続部全体を箱状の絶縁キャップ１６で覆い、空隙部分に常温硬化形の合成樹脂１７を充填する方法で絶縁処理が施されている。
【０００５】
しかしながら、このような従来のコイル端部のシリーズ接続部の絶縁処理方法においては、絶縁処理作業が複雑であり、その作業に長時間を要する。
また、コイルに不具合が生じたり、機械の定期点検時の絶縁診断試験を実施する場合に、コイルの分解、組立作業が困難である。
【０００６】
さらに、回転電機の固定子コイルのシリーズ接続部は、通常、大地電位の固定子鉄心から相当離れた位置にあるために、本来それ程強固（高耐電圧）な絶縁は必要ではないが、特に水車発電機等の設置される場所では、塵や埃等が多く湿度が高いため、導体と絶縁表面との間は、少なくとも気密性を高めて、塵や埃や湿気等で導体と絶縁表面とが短絡状態になることだけは避ける必要がある。
【０００７】
【発明が解決しようとする課題】
以上のように、従来の回転電機のコイル端部の絶縁処理方法においては、絶縁処理作業が複雑であるばかりでなく、コイルの分解、組立作業が困難であり、さらに気密性が低いという問題があった。
【０００８】
本発明の目的は、絶縁処理作業およびコイルの分解、組立作業が容易で、しかも防塵、耐湿性に優れた気密性の高い回転電機のコイル端部の絶縁処理方法を提供することにある。
【０００９】
【課題を解決するための手段】
上記の目的を達成するために、まず、請求項１の発明では、回転電機の鉄心スロット内に装着された上コイルと下コイルの口出し裸導体端部を接続銅帯により相互に電気的に接続して、当該接続部全体の絶縁処理を行なう方法において、接続部よりも大きい内法寸法を有し、かつ変形能と耐湿性、および接着性を有する絶縁充填剤があらかじめ充填された熱可塑性樹脂からなる２分割された一対の絶縁ケースにより、各コイルの対地絶縁層の一部を含む接続部全体を包含して固着し絶縁するようにし、絶縁ケースの外周部には、各コイルの対地絶縁層の一部を含む接続部全体を包含して固着するための融着代が設けられており、当該融着代を融着装置で溶融し２分割された絶縁ケースを一体形に結合するようにしている。
【００１０】
ここで、特に上記絶縁充填剤としては、例えば請求項２に記載したように、硬化後に変形能と耐湿性、および接着性が発現するシリコーンゲルを用いることが好ましい。
【００１１】
また、上記絶縁充填剤としては、例えば請求項３に記載したように、硬化後に変形能と耐湿性、および接着性が発現するシリコーンゲルに、機械的強度向上のための無機絶縁充填剤を配合し補強したものを用いることが好ましい。
【００１２】
一方、上記絶縁ケースとしては、例えば請求項４に記載したように、ポリフェニレンサルファイドやポリエーテルエーテルケトン等の高耐熱性，高強度の熱可塑性樹脂を射出成形したものであることが好ましい。
【００１３】
また、上記絶縁ケースとしては、例えば請求項５に記載したように、ポリフェニレンサルファイドやポリエーテルエーテルケトン等の高耐熱性，高強度の熱可塑性樹脂に、機械的強度向上のためのガラスチョップを１０〜４０重量％配合して射出成形したものであることが好ましい。
【００１４】
さらに、上記絶縁ケースとしては、例えば請求項６に記載したように、ポリフェニレンサルファイドやポリエーテルエーテルケトン等の高耐熱性，高強度の熱可塑性樹脂に、成形時の歪み発生防止のためのガラスフレークを１０〜４０重量％配合して射出成形したものであることが好ましい。
【００１５】
さらにまた、上記絶縁ケースとしては、例えば請求項７に記載したように、ポリフェニレンサルファイドやポリエーテルエーテルケトン等の高耐熱性，高強度の熱可塑性樹脂に、成形性向上のためのガラスビーズを１０〜４０重量％配合して射出成形したものであることが好ましい。
【００１６】
一方、上記絶縁ケースとしては、例えば請求項８に記載したように、中央部から同形状または楔状に勾配を持たせて２分割されており、当該絶縁ケースの内面には絶縁ケースの接続部への位置決めと移動防止および補強のためのボスと受け座およびブロックが設けられ、かつ絶縁ケースの接続部からの脱落防止のためのステーが設けられていることが好ましい。
【００１７】
また、上記各コイルの対地絶縁層と接する絶縁ケースの部位には、例えば請求項９に記載したように、ゴムパッキンが設けられていることが好ましい。
【００１８】
一方、請求項１０に対応する発明では、回転電機の鉄心スロット内に装着された上コイルと下コイルの口出し裸導体端部を接続銅帯により相互に電気的に接続して、当該接続部全体の絶縁処理を行なう方法において、接続部よりも大きい内法寸法を有し、熱可塑性樹脂からなる２分割された一対の絶縁ケースにより、各コイルの対地絶縁層の一部を含む接続部全体を包含して固着した後に、硬化後に変形能と耐湿性、および接着性を発現する絶縁充填剤を注入し絶縁するようにし、絶縁ケースの外周部には、各コイルの対地絶縁層の一部を含む接続部全体を包含して固着するための融着代が設けられており、当該融着代を融着装置で溶融し２分割された絶縁ケースを一体形に結合するようにしている。
【００１９】
また、請求項１１に対応する発明では、回転電機の鉄心スロット内に装着された上コイルと下コイルの口出し裸導体端部を接続銅帯により相互に電気的に接続して、当該接続部全体の絶縁処理を行なう方法において、接続部よりも大きい内法寸法を有し、かつ変形能と耐湿性、および接着性を有する絶縁充填剤があらかじめ充填された熱硬化性樹脂からなる２分割された一対の絶縁ケースにより、各コイルの対地絶縁層の一部を含む接続部全体を包含して固着し絶縁するようにし、絶縁ケースの外周部には、各コイルの対地絶縁層の一部を含む接続部全体を包含して固着するための接着代が設けられており、当該接着代に室温硬化型の接着剤を塗布し２分割された絶縁ケースを一体形に結合するようにしている。
【００２０】
ここで、特に上記絶縁ケースとしては、例えば請求項１２に記載したように、フェノール樹脂やユリア樹脂およびメラミン樹脂等の熱硬化性樹脂粉末を金型でプレス成形したものであることを好ましい。
【００２１】
また、上記絶縁ケースとしては、例えば請求項１３に記載したように、機械的強度向上のためのガラスチョップが１０〜４０重量％配合されたフェノール樹脂やユリア樹脂およびメラミン樹脂等の熱硬化性樹脂粉末を金型でプレス成形したものであることが好ましい。
【００２２】
さらに、上記絶縁ケースとしては、例えば請求項１４に記載したように、成形時の歪み発生防止のためのガラスフレークが１０〜４０重量％配合されたフェノール樹脂やユリア樹脂およびメラミン樹脂等の熱硬化性樹脂粉末を金型でプレス成形したものであることが好ましい。
【００２３】
一方、上記絶縁ケースとしては、例えば請求項１５に記載したように、成形性向上のためのガラスビーズが１０〜４０重量％配合されたフェノール樹脂やユリア樹脂およびメラミン樹脂等の熱硬化性樹脂粉末を金型でプレス成形したものであることが好ましい。
【００２５】
一方、請求項１６に対応する発明では、回転電機の鉄心スロット内に装着された上コイルと下コイルの口出し裸導体端部を接続銅帯により相互に電気的に接続して、当該接続部全体の絶縁処理を行なう方法において、接続部よりも大きい内法寸法を有し、熱硬化性樹脂からなる２分割された一対の絶縁ケースにより、各コイルの対地絶縁層の一部を含む接続部全体を包含して固着した後に、硬化後に変形能と耐湿性、および接着性を発現する絶縁充填剤を注入し絶縁するようにし、絶縁ケースの外周部には、各コイルの対地絶縁層の一部を含む接続部全体を包含して固着するための接着代が設けられており、当該接着代に室温硬化型の接着剤を塗布し２分割された絶縁ケースを一体形に結合するようにしている。
【００２８】
従って、まず、請求項１乃至請求項９に対応する発明の回転電機のコイル接続端部の絶縁処理方法においては、２分割された一対の絶縁ケース内に、硬化後に変形能と耐湿性、および接着性が発現するシリコーンゲルをあらかじめ充填し硬化させていることにより、回転電機の鉄心スロット内に装着された上コイルと下コイルの口出し裸導体端部を接続銅帯で相互に電気的に接続した後に、絶縁ケースでこの各コイルの対地絶縁層の一部を含む接続部全体を包含し固着するだけで絶縁をすることができる。
【００２９】
また、シリコーンゲルは、接着性が良く、シリーズ接続部の導体や絶縁層と良く密着し、吸水率も低いため、導体と絶縁層表面との気密性は高い。そして、高耐熱性，高伸長であるため、運転中の電磁振動や冷熱サイクルおよび風圧等にも追随でき、亀裂や絶縁層との剥離は生じない。
【００３０】
さらに、無機絶縁充填剤の配合量に応じて変形能が変わるため、回転電機の運転時、電磁振動や風圧等に応じて無機絶縁充填剤の配合量を選択することにより、機械的強度を調整することができる。
【００３１】
また、シリーズ接続部間が狭く隣接していても、絶縁ケースがこの接続部よりも大きい内法寸法を有し、中央部から同形状または楔状に勾配を持たせて２分割されていることにより、装着を簡単にすることができる。
【００３２】
さらに、絶縁ケースは、ポリフェニレンサルファイドやポリエーテルエーテルケトン等の高耐熱性，高強度の熱可塑性樹脂で射出成形されていることにより、その外周部に設けられた各コイルの対地絶縁層の一部を含む接続部全体を包含して固着するための融着代を融着装置で溶融するだけで、２分割された絶縁ケースを一体形に容易に結合することができる。
【００３３】
また、絶縁ケースの内面には、絶縁ケースの接続部への位置決めと移動防止および補強のためのボスと受け座およびブロック、接続部からの脱落を防止するためのステーが設けられていることにより、運転時の電磁振動や風圧等による絶縁ケースの移動や脱落を防止することができる。
【００３４】
さらに、各コイルの対地絶縁層と接する絶縁ケースの部位には、ゴムパッキンが設けられていることにより、起動・停止の繰り返しによって生じる結露水および塵や埃の侵入を防止することができる。
【００３５】
一方、請求項１０に対応する発明の回転電機のコイル接続端部の絶縁処理方法においては、回転電機の鉄心スロット内に装着された上コイルと下コイルの口出し裸導体端部を接続銅帯で相互に電気的に接続した後に、この接続部よりも大きい内法寸法を有する熱可塑性樹脂からなる２分割された一対の絶縁ケースで、各コイルの対地絶縁層の一部を含む接続部全体を包含して、その外周部に設けられた融着代を融着装置で溶融し２分割された絶縁ケースを一体形に結合した後に、シリコーンゲルを注入し硬化させるだけで、この接続部と絶縁ケースが隙間なく密着し、結露水および塵や埃の浸入を防止する気密性の高い絶縁をすることができる。
【００３６】
一方、請求項１１乃至請求項１６に対応する発明の回転電機のコイル接続端部の絶縁処理方法においては、絶縁ケースとして、耐熱性、機械強度等に優れたフェノール樹脂やユリア樹脂およびメラミン樹脂等の熱硬化性樹脂を用いることにより、高温で軟化し形状変化を起こすことがなく、広範囲な温度領域での使用ができる。
【００３７】
また、プレス成形としていることにより、簡易な金型で製作することができる。
【００４１】
以上により、簡易なシリーズ接続部の絶縁処理で、運転時の電磁振動や風圧等にも追随することができ、塵や埃および結露水の侵入を防止する気密性の高い絶縁が可能となる。
また、コイル絶縁に不具合等が生じたり、機械の定期点検時の絶縁診断を実施する場合に、コイルの分解、組立作業を容易に行なうことが可能となる。
【００４２】
【発明の実施の形態】
以下、本発明の実施形態について図面を参照して詳細に説明する。
（第１の実施形態）
図１は、本実施形態による回転電機のコイル接続端部の絶縁処理方法を示す要部断面図、図２は同絶縁処理方法を示す側面内部構造図、図３は同絶縁処理方法における中央部で２分割された絶縁ケースの構造例を示す平面図、図４は図３の側面をＡ矢印方向から見た平面図、図５は同絶縁処理方法における中央部で２分割された絶縁ケースの一体化状態を図３のＢ矢印方向から見た平面図であり、図９および図１０と同一要素には同一符号を付してそれぞれ示している。
【００４３】
本実施形態による回転電機のコイル接続端部の絶縁処理方法は、図１乃至図５に示すように、回転電機の鉄心１内に収納された上コイル２と下コイル３の口出し部４の裸導体５に接続銅帯６をロー付けして、上コイル２と下コイル３を電気的に接続する。
【００４４】
次に、この接続部よりも大きい内法寸法を有し、かつ変形能と耐湿性、および接着性を有する絶縁充填剤７があらかじめ充填された熱可塑性樹脂からなる２分割された一対の絶縁ケース８により、上記各コイル２，３の対地絶縁層の一部を含む接続部全体を包含して固着し絶縁する。
【００４５】
ここで、絶縁充填剤７としては、シリコーンゲル（例えば、東芝シリコーン製のＴＳＥ３０７０）を用いることができ、高耐熱性，高強度の熱可塑性樹脂であるポリフェニレンサルファイド（例えば、東レ製のトレリナＡ５０４）を射出成形してなる一対の２分割された絶縁ケース８に充填し、室温で硬化させたものである。
【００４６】
また、絶縁ケース８としては、上記接続部よりも大きい内法寸法を有し、中央部から同形状に２分割されており、その外周部には、各コイル２，３の対地絶縁層の一部を含む接続部全体を包含して固着するための融着代９を形成している。そして、この融着代９を融着装置で溶融することにより、２分割された絶縁ケース８を一体形に結合する。
【００４７】
さらに、絶縁ケース８を、例えば図６および図７にそれぞれ平面図を示すように、楔状に勾配を持たせて２分割した形状にすることにより、シリーズ接続部間が狭く隣接していても簡単に装着することができる。
【００４８】
一方、絶縁ケース８の内面には、接続部導体への位置決めのための受け座１０と接続部導体への位置決めを兼ねた移動防止のためのボス１１および接続部導体の位置決めを兼ねた補強用のブロック１２、接続部導体からの脱落を防止するためのステー１３をそれぞれ設けている。
【００４９】
また、上記各コイル２，３の対地絶縁層と接する絶縁ケース８の部位には、ゴムパッキン１４を設けている。
ここで、ゴムパッキン１４としては、例えば独立単泡シリコーンゴムスポンジ（ジョウン工業製）を用いることができる。
【００５０】
以上のような、本実施形態による回転電機のコイル接続端部の絶縁処理方法においては、２分割された一対の絶縁ケース８内に、硬化後に変形能と耐湿性、および接着性が発現する絶縁充填剤７であるシリコーンゲルをあらかじめ充填し硬化させていることにより、回転電機の鉄心１スロット内に装着された上コイル２と下コイル３の口出し裸導体５端部を接続銅帯６で相互に電気的に接続した後に、絶縁ケース８でこの各コイル２，３の対地絶縁層の一部を含む接続部全体を包含し固着するだけで絶縁をすることができる。
【００５１】
また、絶縁充填剤７であるシリコーンゲルは、接着性が良く、シリーズ接続部の導体や絶縁層と良く密着し、吸水率も低いため、導体と絶縁層表面との気密性は高い。そして、高耐熱性，高伸長であるため、運転中の電磁振動や冷熱サイクルおよび風圧等にも追随でき、亀裂や絶縁層との剥離は生じない。
【００５２】
さらに、無機絶縁充填剤の配合量に応じて変形能が変わるため、回転電機の運転時、電磁振動や風圧等に応じて無機絶縁充填剤の配合量を選択することにより、機械的強度を調整することができる。
【００５３】
また、シリーズ接続部間が狭く隣接していても、絶縁ケース８がこの接続部よりも大きい内法寸法を有し、中央部から同形状または楔状に勾配を持たせて２分割されていることにより、装着を簡単にすることができる。
【００５４】
さらに、絶縁ケース８は、ポリフェニレンサルファイドやポリエーテルエーテルケトン等の高耐熱性，高強度の熱可塑性樹脂で射出成形されていることにより、その外周部に設けられた各コイル２，３の対地絶縁層の一部を含む接続部全体を包含して固着するための融着代９を融着装置で溶融するだけで、２分割された絶縁ケース８を一体形に容易に結合することができる。
【００５５】
また、絶縁ケース８の内面には、絶縁ケース８の接続部への位置決めと移動防止および補強のためのボス１１と受け座１０およびブロック１２、接続部からの脱落を防止するためのステー１３が設けられていることにより、運転時の電磁振動や風圧等による絶縁ケース８の移動や脱落を防止することができる。
【００５６】
さらに、各コイル２，３の対地絶縁層と接する絶縁ケース８の部位には、ゴムパッキン１４が設けられていることにより、起動・停止の繰り返しによって生じる結露水および塵や埃の侵入を防止することができる。
【００５７】
以上により、簡易化されたシリーズ接続部の絶縁処理で、運転時の電磁振動や風圧等による絶縁ケース８の移動や脱落を防止することができ、塵や埃および起動・停止の繰り返しにより生じる結露水の侵入を防止することが可能となる。
【００５８】
また、コイル絶縁に不具合等が生じたり、機械の定期点検時の絶縁診断を実施する場合に、コイル２，３の分解，組立作業を容易に行なうことが可能となる。
（第２の実施形態）
本実施形態による回転電機のコイル接続端部の絶縁処理方法は、前記第１の実施形態において、絶縁充填剤７であるシリコーンゲルに、無機絶縁充填剤であるシリカ（例えば、龍森製のクリスタルライトＡ１）を、例えば１：１の配合比で混合して絶縁充填剤７を変化させる。
【００５９】
以上のような、本実施形態による回転電機のコイル接続端部の絶縁処理方法においては、硬化後の絶縁充填剤７の変形能は、前記第１の実施形態の場合よりも多少減少したものの、機械的強度を向上することができる。
【００６０】
また、本絶縁充填剤７を用いて接続部を絶縁処理しても、前記第１の実施形態の場合とほぼ同様な作用効果を得ることができる。
さらに、無機絶縁充填剤としてアルミナを配合することにより、絶縁充填剤７の熱伝導率が向上して、接続部の熱放散を改善することができる。
【００６１】
（第３の実施形態）
本実施形態による回転電機のコイル接続端部の絶縁処理方法は、前記第１の実施形態において、ポリフェニレンサルファイドにガラスチョップを３０〜４０重量％配合する。
【００６２】
以上のような、本実施形態による回転電機のコイル接続端部の絶縁処理方法においては、絶縁ケース８を射出成形した結果、引張りおよび曲げ等の機械的強度を著しく向上することができる。
【００６３】
また、本絶縁ケース８を用いて接続部を絶縁処理しても、前記第１の実施形態の場合とほぼ同様な作用効果を得ることができる。
一方、上記ガラスチョップの代わりに、ガラスフレークを３０〜４０重量％配合して、絶縁ケース８を射出成形することにより、成形時の歪み発生防止効果を高めることができる。
【００６４】
また、上記ガラスチョップの代わりに、ガラスビーズを３０〜４０重量％配合して、絶縁ケース８を射出成形することにより、射出時の熱可塑性樹脂の流れが良くなり、成形性を著しく向することができる。
【００６５】
これらの絶縁ケース８を用いて接続部を絶縁処理した結果、前記第１の実施形態の場合とほぼ同様な作用効果を得ることができる。
（第４の実施形態）
本実施形態による回転電機のコイル接続端部の絶縁処理方法は、回転電機の鉄心１スロット内に装着された上コイル２と下コイル３の口出し部４の裸導体５に接続銅帯６をロー付けして相互に電気的に接続した後に、この接続部よりも大きい内法寸法を有し熱可塑性樹脂からなる２分割された一対の絶縁ケース８により、各コイル２，３の対地絶縁層の一部を含む接続部全体を包含して、その外周部に設けられた融着代９を融着装置で溶融し２分割された絶縁ケース８を一体形に結合した後に、絶縁充填剤７としてシリコーンゲルを注入し硬化させて絶縁する。
【００６６】
以上のような、本実施形態による回転電機のコイル接続端部の絶縁処理方法においては、融着代９を融着装置で溶融し２分割された絶縁ケース８を一体形に結合した後に、絶縁充填剤７であるシリコーンゲルを注入し硬化させるだけで、この接続部と絶縁ケース８間に生じる隙間の細部まで充填されて完全密着するため、結露水および塵や埃の侵入を防止する気密性の高い絶縁をすることができる。
【００６７】
また、コイル絶縁に不具合等が生じたり、機械の定期点検時の絶縁診断を実施する場合に、コイル２，３の分解、組立作業を容易に行なうことができる。
なお、前記第２の実施形態または第３の実施形態の絶縁充填剤７や絶縁ケース８を用いても、ほぼ同様な作用効果を得ることができる。
【００６８】
（第５の実施形態）
本実施形態による回転電機のコイル接続端部の絶縁処理方法は、絶縁ケース８を、耐熱性，機械強度等に優れたフェノール樹脂やユリア樹脂およびメラミン樹脂等の熱硬化性樹脂粉末を、金型でプレス成形する。
【００６９】
また、この絶縁ケース８の外周部には、前記第１の実施形態の場合と同様に、融着代９と同形状で絶縁ケース８を一体形に結合するための図示しない接着代を設け、各コイル２，３の対地絶縁層の一部を含む接続部全体を包含した後に、この接着代に室温硬化型の接着剤（例えば、チバガイギ社製のＧＹ２５０とＨＹ９５６）を塗布して一体形に結合する。
【００７０】
以上のような、本実施形態による回転電機のコイル接続端部の絶縁処理方法においては、絶縁ケース８の耐熱性および機械的強度が向上するため、高温で軟化し形状変化を起こすことがなく、広範囲な温度領域での使用をすることができる。
【００７１】
また、プレス成形であるため、簡易な金型で製作することができる。
なお、この絶縁ケース８を用いて、前記第１の実施形態または第４の実施形態の場合と同様の方法で絶縁処理しても、前記第２の実施形態または第３の実施形態の場合と同様に、絶縁充填剤７や絶縁ケース８に無機充填材やガラスを配合させても、前記第１の実施形態または第４の実施形態の場合とほぼ同様な作用効果を得ることができる。
【００７２】
（第６の実施形態）
図８は、本実施形態による回転電機のコイル接続端部の絶縁処理方法における２分割された絶縁ケースの構造を前記図３のＢ矢印方向から見た平面図であり、図１乃至図７と同一要素には同一符号を付してそれぞれ示している。
【００７３】
本実施形態による回転電機のコイル接続端部の絶縁処理方法は、回転電機の鉄心１スロット内に装着された上コイル２と下コイル３の口出し部４の裸導体５に接続銅帯６をロー付けして相互に電気的に接続した後に、この接続部よりも大きい内法寸法を有し、かつ変形能と耐湿性、および接着性を有する絶縁充填剤７であるシリコーンゲル（例えば、東芝シリコーン製のＴＳＥ３０７０）があらかじめ充填された高耐熱性，高強度の熱可塑性樹脂であるポリフェニレンサルファイド（例えば、東レ製のトレリナＡ５０４）により、一体形の箱状に射出成形してなる絶縁ケース１５を、前記各コイル２，３の対地絶縁層の一部を含む接続部に装着し絶縁する。
【００７４】
以上のような、本実施形態による回転電機のコイル接続端部の絶縁処理方法においては、絶縁ケース１５が、高耐熱性，高強度の熱可塑性樹脂で箱形に射出成形されているため、その角部が、熱硬化性樹脂とガラス繊維からなるシートを積層して箱状にプレス成形した従来形の絶縁キャップよりも均質化され、機械的強度を向上することができる。
【００７５】
また、絶縁ケース８の内部には、硬化後に変形能と耐湿性、および接着性が発現するシリコーンゲルが充填されているため、この接続部と絶縁ケース８が隙間なく密着し、結露水および塵や埃の侵入を防止する気密性の高い絶縁をすることができる。
【００７６】
さらに、コイル絶縁に不具合等が生じたり、機械の定期点検時の絶縁診断を実施する場合には、コイル２，３の分解、組立作業を容易に行なうことができる。なお、前記第２の実施形態または第３の実施形態の場合と同様に、絶縁充填剤７や絶縁ケース８に無機充填材やガラスを配合させても、絶縁ケース１５を接続部に装着した後に、絶縁充填剤７を注入し硬化させて絶縁しても、ほぼ同様な作用効果を得ることができる。
【００７７】
【発明の効果】
以上説明したように、請求項１乃至請求項９に対応する発明によれば、回転電機の鉄心スロット内に装着された上コイルと下コイルの口出し裸導体端部を接続銅帯により相互に電気的に接続して、当該接続部全体の絶縁処理を行なう方法において、接続部よりも大きい内法寸法を有し、かつ変形能と耐湿性、および接着性を有する絶縁充填剤があらかじめ充填された熱可塑性樹脂からなる２分割された一対の絶縁ケースにより、各コイルの対地絶縁層の一部を含む接続部全体を包含して固着し絶縁するようにしたので、絶縁処理作業およびコイルの分解、組立作業が容易で、しかも  防塵、耐湿性に優れた気密性の高い回転電機のコイル端部の絶縁処理方法が提供できる。
【００７８】
一方、請求項１０に対応する発明によれば、回転電機の鉄心スロット内に装着された上コイルと下コイルの口出し裸導体端部を接続銅帯により相互に電気的に接続して、当該接続部全体の絶縁処理を行なう方法において、接続部よりも大きい内法寸法を有し、熱可塑性樹脂からなる２分割された一対の絶縁ケースにより、各コイルの対地絶縁層の一部を含む接続部全体を包含して固着した後に、硬化後に変形能と耐湿性、および接着性を発現する絶縁充填剤を注入し絶縁するようにしたので、絶縁処理作業およびコイルの分解、組立作業が容易で、しかもより一層防塵、耐湿性に優れた気密性の高い回転電機のコイル端部の絶縁処理方法が提供できる。
【００７９】
一方、請求項１１乃至請求項１５に対応する発明によれば、回転電機の鉄心スロット内に装着された上コイルと下コイルの口出し裸導体端部を接続銅帯により相互に電気的に接続して、当該接続部全体の絶縁処理を行なう方法において、接続部よりも大きい内法寸法を有し、かつ変形能と耐湿性、および接着性を有する絶縁充填剤があらかじめ充填された熱硬化性樹脂からなる２分割された一対の絶縁ケースにより、各コイルの対地絶縁層の一部を含む接続部全体を包含して固着し絶縁するようにしたので、絶縁処理作業およびコイルの分解、組立作業が容易で、かつ防塵、耐湿性に優れて気密性が高く、しかも広範囲な温度領域での使用が可能な回転電機のコイル端部の絶縁処理方法が提供できる。
【００８０】
一方、請求項１６に対応する発明によれば、回転電機の鉄心スロット内に装着された上コイルと下コイルの口出し裸導体端部を接続銅帯により相互に電気的に接続して、当該接続部全体の絶縁処理を行なう方法において、接続部よりも大きい内法寸法を有し、熱硬化性樹脂からなる２分割された一対の絶縁ケースにより、各コイルの対地絶縁層の一部を含む接続部全体を包含して固着した後に、硬化後に変形能と耐湿性、および接着性を発現する絶縁充填剤を注入し絶縁するようにしたので、絶縁処理作業およびコイルの分解、組立作業が容易で、かつ防塵、耐湿性に優れて気密性が高く、しかも広範囲な温度領域での使用が可能な回転電機のコイル端部の絶縁処理方法が提供できる。
【図面の簡単な説明】
【図１】本発明による回転電機のコイル接続端部の絶縁処理方法の第１の実施形態を示す要部断面図。
【図２】本発明による回転電機のコイル接続端部の絶縁処理方法の第１の実施形態を示す側面内部構造図。
【図３】本発明による回転電機のコイル接続端部の絶縁処理方法の第１の実施形態における中央部で２分割された絶縁ケースの構造例を示す平面図。
【図４】図３の側面をＡ矢印方向から見た平面図。
【図５】本発明による回転電機のコイル接続端部の絶縁処理方法の第１の実施形態における中央部で２分割された絶縁ケースの一体化状態を図３のＢ矢印方向から見た平面図。
【図６】本発明による回転電機のコイル接続端部の絶縁処理方法の第１の実施形態における楔状に２分割された絶縁ケースの構造例を図３のＢ矢印方向から見た平面図。
【図７】本発明による回転電機のコイル接続端部の絶縁処理方法の第１の実施形態における楔状に２分割された絶縁ケースの一体化状態を図３のＢ矢印方向から見た平面図。
【図８】本発明による回転電機のコイル接続端部の絶縁処理方法の第１の実施形態における一体形絶縁ケースで絶縁処理された接続部の断面図。
【図９】従来の回転電機のコイル接続端部の絶縁処理方法の一例を示す断面図。
【図１０】図９のＣ−Ｃ線に沿う断面図。
【符号の説明】
１…鉄心、
２…上コイル、
３…下コイル、
４…口出し部、
５…裸導体、
６…接続銅帯、
７…絶縁充填剤、
８…絶縁ケース、
９…融着代、
１０…受座、
１１…ボス、
１２…ブロック、
１３…ステー、
１４…ゴムパッキン、
１５…絶縁ケース、
１６…絶縁ケース、
１７…合成樹脂。
【図１】
0003618867.tif 000002
【図２】
0003618867.tif 000003
【図３】
0003618867.tif 000004
【図４】
0003618867.tif 000005
【図５】
0003618867.tif 000006
【図６】
0003618867.tif 000007
【図７】
0003618867.tif 000008
【図８】
0003618867.tif 000009
【図９】
0003618867.tif 000010
【図１０】
0003618867.tif 000011